(57)【要約】【課題】小物類を整理して収容することができると共に、釣用バッグに容易に出し入れすることができる使い勝手の良い釣用タックルケース及び釣用バッグの提供。【解決手段】釣用バッグ１０は、バッグ本体１１と、バッグインバッグとして使用されるタックルケース１３とを有する。タックルケース１３は、トレイ状に形成されたケース本体４５と、把手４３とを備える。この把手４３は、ケース本体４５の対向する一対の側面にそれぞれ設けられている。ケース本体４５は、熱可塑性樹脂からなるコア部材３３と、蓋３４とを有する。タックルケース１３は、蓋３４がバッグ本体１１の上面に露出するようにバッグ本体１１に支持される。コア部材３３の角部４８は、滑らかな曲面に形成されている。蓋３４は透明である。蓋３４は、ポケット４１、４２を備えている。【選択図】図３
2010075210.tif 000002
【特許請求の範囲】
【請求項１】
上面に開口を有すると共に当該開口の周縁部の内側に座部が形成されたバッグ本体と、上記座部に載置されることによって上記釣用バッグのバッグインバッグとして使用される釣用タックルケースとを有する釣用バッグであって、
上記釣用タックルケースは、ケース本体と、ケース本体の対向する一対の側面にそれぞれ設けられた把手とを備え、
上記ケース本体は、底面を有するトレイ状に形成され、当該底面が上記座部に載置されるコア部材及び当該コア部材の上面に開閉自在に設けられた蓋部材を有し、
上記コア部材の高さ寸法は、上記ケース本体が上記座部に載置された状態で上記蓋部材が上記バッグ本体の開口から露出するように設定されている釣用バッグ。
【請求項２】
上面に開口を有すると共に当該開口の周縁部の内側にバッグインバッグを支持する座部が形成されたバッグ本体を備えた釣用バッグに適用され、
ケース本体と、ケース本体の対向する一対の側面にそれぞれ設けられた把手とを備え、
上記ケース本体は、底面を有するトレイ状に形成され、当該底面が上記座部に載置されるコア部材及び当該コア部材の上面に開閉自在に設けられた蓋部材を有し、
上記コア部材の高さ寸法は、上記ケース本体が上記座部に載置された状態で上記蓋部材が上記バッグ本体の開口から露出するように設定されている釣用タックルケース。
【請求項３】
上記把手は、ケース本体の中央上方で束ねられ得る紐状に形成されている請求項２に記載の釣用タックルケース。
【請求項４】
上記コア部材は、熱可塑性樹脂からなり、
上記コア部材の縦寸法ａ、横寸法ｂ及び高さ寸法ｃは、それぞれ
１００ｍｍ≦ａ≦５００ｍｍ、
１００ｍｍ≦ｂ≦８００ｍｍ、
５ｍｍ≦ｃ≦３００ｍｍの範囲に設定されている請求項２又は３に記載の釣用タックルケース。
【請求項５】
上記コア部材の外面角部は、滑らかな曲面に形成されている請求項４に記載の釣用タックルケース。
【請求項６】
上記蓋部材は透明である請求項２から５のいずれかに記載の釣用タックルケース。
【請求項７】
上記蓋部材は、小物収容ポケットを備えている請求項２から６のいずれかに記載の釣用タックルケース。
【発明の詳細な説明】
【技術分野】
【０００１】
本発明は、釣餌や釣糸、釣針、針外し、プライヤその他小物類（釣り道具）を収容することができる釣用タックルケース並びにこの釣用タックルケースを備えた釣用バッグの構造に関するものである。
【背景技術】
【０００２】
釣行の際に釣人は、ロッド、リールのほかさまざまな釣道具を携帯する。特に船釣では、電動リールやロッドキーパー等の大形で重量が大きいタックルが用いられることが多い。そのため、釣人は、通常のタックル（典型的には、釣糸、針、プライヤ等の小物）に加えて電動リール等の大形の道具をも携帯する必要がある。釣人は、従来からロッドケース及び釣用バッグにこれらの釣道具を効率的にコンパクトに収納し、釣場に持ち込んでいた（例えば、特許文献１参照）。
【０００３】
前述のようにタックルの種類は、その外形及び重量が大きいものから小さいものまで様々である。そのため、釣人は、多くの釣道具を釣用バッグにコンパクトに収納するために工夫が必要であった。例えば、電動リールの電源として使用される電源装置等は、その外形も重量も大きいために釣用バッグの内奥部に収容され、次にリール等の中型の道具が収容され、最後に釣糸や針等の小物類が収容される。これら小物類は、特に小物用のタックルケース（「システムケース」と称されることもある。）に整理して収容される（例えば、非特許文献１参照）。
【先行技術文献】
【特許文献】
【０００４】
【特許文献１】特開２０００−６０４０１号公報
【非特許文献】
【０００５】
【非特許文献１】2004 SHIMANO Fishing Tackle Catalogue (P.197、P.199）
【発明の開示】
【発明が解決しようとする課題】
【０００６】
従来のタックルケースは、上記非特許文献１に記載されているように、開閉自在な蓋を有する容器状の本体と、この本体に設けられた把手を備えている。この把手が設けられることにより、釣人は、タックルケースを釣用バッグのバッグ本体に容易に出し入れすることができる。ところが、従来のタックルケースでは、把手が本体の蓋に設けられていることから、仮に蓋がロックされていない場合には、把手が引っ張られると蓋が開いてしまい、収容された小物類が飛び出してしまうという問題があった。また、このタックルケースは、釣用バッグのバッグ本体に出し入れされるものであるから、釣人にとってバッグ本体に挿入しやすく且つ取り出しやすい構造を備えていることが望ましい。
【０００７】
そこで、本発明の目的は、小物類を整理して収容することができ且つバッグ本体に容易に出し入れすることができる釣用タックルケースを備えた使い勝手の良い釣用バッグを提供することである。また、本発明の目的は、そのような釣用バッグに適用される釣用タックルケースを提供することである。
【課題を解決するための手段】
【０００８】
(1) 上記目的が達成されるため、本発明に係る釣用バッグは、上面に開口を有すると共に当該開口の周縁部の内側に座部が形成されたバッグ本体と、上記座部に載置されることによって上記釣用バッグのバッグインバッグとして使用される釣用タックルケースとを有する。上記釣用タックルケースは、ケース本体と、ケース本体の対向する一対の側面にそれぞれ設けられた把手とを備える。上記ケース本体は、底面を有するトレイ状に形成され、当該底面が上記座部に載置されるコア部材及び当該コア部材の上面に開閉自在に設けられた蓋部材を有する。上記コア部材の高さ寸法は、上記ケース本体が上記座部に載置された状態で上記蓋部材が上記バッグ本体の開口から露出するように設定されている。
【０００９】
また、上記目的が達成されるため、本発明に係る釣用タックルケースは、上面に開口を有すると共に当該開口の周縁部の内側にバッグインバッグを支持する座部が形成されたバッグ本体を備えた釣用バッグに適用される。この釣用タックルケースは、ケース本体と、ケース本体の対向する一対の側面にそれぞれ設けられた把手とを備える。上記ケース本体は、底面を有するトレイ状に形成され、当該底面が上記座部に載置されるコア部材及び当該コア部材の上面に開閉自在に設けられた蓋部材を有する。上記コア部材の高さ寸法は、上記ケース本体が上記座部に載置された状態で上記蓋部材が上記バッグ本体の開口から露出するように設定されている。
【００１０】
これらの発明によれば、上記釣用タックルケースがバッグインバッグとして機能することから、大型の釣道具がバッグ本体に収容され、特に小型軽量の小物類が当該釣用タックルケースに収容される。しかも、ケース本体がトレイ状に形成されているから、釣り道具（特に釣針、釣糸、プライヤ等の小物類）がケース本体内に整理された状態で収容され得る。したがって、釣人にとって釣道具の分類が簡単になるうえ、ケース本体はコア部材と蓋部材とを備えているので、ケース本体から不用意に小物類が飛び出してしまうことはない。また、ケース本体の高さ寸法が所要の値に設定されるので、当該釣用タックルケースの蓋部材がバッグ本体から外部に露出する。これにより、釣人は、実釣中であっても蓋部材を自在に開閉することができ、小物類を容易に取り出すことができる。さらに、ケース本体の両側面に把手が設けられているから、釣人は、これら把手を把持することによって当該ケース本体を安定的に吊り下げることができる。すなわち、従来のように把手が蓋部材に設けられるならば、もし蓋部材がケース本体に固定されていない場合（典型的には、蓋部材を開閉するファスナーが開いている場合）に、蓋部材が一気に開放されて内容物が飛び出してしまうおそれがあるが、本発明では、そのような不都合が回避される。
【００１１】
(2) 上記把手は、ケース本体の中央上方で束ねられ得る紐状に形成されているのが好ましい。把手がかかる紐状に形成されることにより、釣人は、両把手を束ねて握るだけで、ケース本体を安定的に持つことができる。
【００１２】
(3) 上記コア部材は、熱可塑性樹脂からなり、上記コア部材の縦寸法ａ、横寸法ｂ及び高さ寸法ｃは、それぞれ１００ｍｍ≦ａ≦５００ｍｍ、１００ｍｍ≦ｂ≦８００ｍｍ、５ｍｍ≦ｃ≦３００ｍｍの範囲の寸法に設定されているのが好ましい。この構成では、コア部材が矩形の浅いトレイ状を呈する。したがって、ケース本体は、釣用バッグ等に容易に嵌め込まれ得る。しかも、このコア部材が熱可塑性樹脂からなるので、釣用バッグ等に一層容易に嵌め込まれ得る。
【００１３】
(4) 上記コア部材の外面角部は、滑らかな曲面に形成されているのが好ましい。これにより、当該釣用タックルケースが特定の釣用バッグに装着されるものとして構成された場合に、当該釣用バッグへの着脱がきわめて滑らかなものとなる。
【００１４】
(5) 上記蓋部材は透明であることが望ましい。蓋部材が透明であるから、釣人は、ケース本体に収容されている小物類を容易に視認することができる。
【００１５】
(6) 上記蓋部材は、小物収容ポケットを備えているのが好ましい。これにより、小物類は、より一層整理された状態で収容される。
【００１６】
(7) 上記ケース本体の底面に滑止部材が設けられているのが好ましい。これにより、例えばこの釣用タックルケースが船の甲板上に載置された場合であっても、確実に当該載置された位置に保持される。
【発明の効果】
【００１７】
本発明によれば、ケース本体がトレイ状に形成されているので、釣り道具が整理して収容される。しかも、この釣用タックルケースは、釣用バッグに容易に出し入れされるうえ、当該釣用バッグに収容された状態で当該釣用バッグから露出しているので、釣人は、実釣中に簡単に蓋部材を開閉することができる。しかも、釣人は、把手を持つことによって釣用タックルケースを安定的に持ち運ぶことができるので、この釣用タックルケースは、釣人にとってきわめて使い勝手の良いものである。
【図面の簡単な説明】
【００１８】
【図１】図１は、本発明の一実施形態に係るタックルケースが内蔵された釣用バッグの前方斜視図である。
【図２】図２は、本発明の一実施形態に係るタックルケースが内蔵された釣用バッグの後方斜視図である。
【図３】図３は、本発明の一実施形態に係るタックルケースが内蔵された釣用バッグの斜視図であり、扉が開かれた状態が図示されている。
【図４】図４は、図３の要部拡大斜視図である。
【図５】図５は、本発明の一実施形態に係るタックルケースが内蔵されるバッグ本体の斜視図であり、タックルケースが取り外された状態が図示されている。
【図６】図６は、図５における要部拡大斜視図である。
【図７】図７は、本発明の一実施形態に係るタックルケースが内蔵されるバック本体の後面の拡大斜視図である。
【図８】図８は、本発明の一実施形態に係るタックルケースの外観斜視図である。
【図９】図９は、本発明の一実施形態に係るタックルケースの内部構造を詳細に示す斜視図である。
【図１０】図１０は、図９における要部拡大斜視図である。
【図１１】図１１は、図１０におけるXI−XI断面図である。
【発明を実施するための最良の形態】
【００１９】
以下、適宜図面が参照されつつ、好ましい実施形態に基づいて本発明が詳細に説明される。
【００２０】
図１は、本発明の一実施形態に係る釣用バッグの前方斜視図であり、図２は後方斜視図である。この釣用バッグ１０は、バッグ本体１１と、これに設けられた扉１２とを備えている。図３は、この扉１２が開かれた状態の釣用バッグ１０の斜視図であり、図４は、図３の要部拡大斜視図である。
【００２１】
図３及び図４が示すように、バッグ本体１１には、本発明の一実施形態に係るタックルケース１３（釣用タックルケース）が収容されている。タックルケース１３は、後述されるようにバッグ本体１１に対して取出自在に収容されている。
【００２２】
本実施形態の特徴とするところは、このタックルケース１３及び釣用バッグ１０の構造である。具体的には、タックルケース１３の側面に把手４３が設けられている点、タックルケース１３が後述の形状に形成されている点、タックルケース１３の角部が曲面に形成されている点、及びタックルケース１３がバッグ本体１１から露出するように当該バッグ本体に収容される点等が本実施形態に係るタックルケース１３及び釣用バッグ１０のポイントである。
【００２３】
(1) バッグ本体及び扉の構成
【００２４】
図５は、タックルケース１３が取り外された状態におけるバッグ本体１１の斜視図であり、図６は、図５における要部拡大斜視図である。
【００２５】
これらの図が示すように、バッグ本体１１は略直方体の容器状に形成されており、上面に開口１４が設けられている。このバッグ本体１１の内部空間には、さまざまな釣り道具が収容される。例えばこの釣用バッグ１０が船釣りの際に使用されるときは、電動リール、電源装置のほかロッドキーパ等の大形のタックルが収容され得る。
【００２６】
本実施形態では、このバッグ本体１１は、樹脂製のフレーム１５と、これを囲繞するカバー１６とを備えている。フレーム１５は、同図が示すように開口を有する容器状に形成されており、当該開口が上記バッグ本体１１の開口１４を構成している。フレーム１５を構成する樹脂は、典型的にはポリエチレン（ＰＥ）、ポリウレタン（ＰＵ）、エチレン酢酸ビニル共重合体（ＥＶＡ）、ポリプロピレン（ＰＰ）、ポリ塩化ビニル（ＰＶＣ）等が採用される。もっとも、フレーム１５を構成する樹脂は、他の種類が採用されてもよいことは勿論である。
【００２７】
カバー１６はフレーム１５の外周面を覆っており、これにより、フレーム１５が保護されている。カバー１６は、フレーム１５の外周面全体を覆うものでもよいが、本実施形態では、フレーム１５の側面のみを覆っている。したがって、フレーム１５の底面部は、バッグ本体１１の底面部を構成することになる。フレーム１５の底面に滑止部材等が設けられていてもよい。フレーム１５のカバー１６を構成する材料は、典型的にはポリ塩化ビニル（ＰＶＣ）、エチレン酢酸ビニル共重合体（ＥＶＡ）、ポリウレタン（ＰＵ）等が採用される。もっとも、カバー１６を構成する材料は、他のものが採用されてもよいことは勿論である。このカバー１６は、フレーム１５の上記開口の周縁部に沿って固定されており、当該開口周縁部には縁取テープ１７が設けられている。
【００２８】
フレーム１５は、金型により成形される。同図が示すように、フレーム１５は、内側に突出する柱部１８を有している。この柱部１８は、フレーム１５と一体的に形成されている。この柱部１８は、フレーム１５の４つの隅部に沿って上下に延びている。柱部１８の高さ寸法は、フレーム１５の深さ寸法よりも小さい。そのため、柱部１８の上面１９と、バッグ本体１１の開口周縁部との間に段差ｄが形成されている。この開口周縁部と上記上面１９との段差ｄは、５ｍｍ〜３００ｍｍの範囲に設定される。柱部１８の上面１９は、後述されるように上記タックルケース１３が支持される座部を構成している。本明細書では、上記上面１９は、座部１９と称される。
【００２９】
図１及び図２が示すように、バッグ本体１１に肩掛けベルト２０が設けられている。この肩掛けベルト２０は、ベルト本体２１と肩パッド２２とを備えている。ベルト本体２１は、エチレン酢酸ビニル共重合体（ＥＶＡ）、ポリプロピレン（ＰＰ）、ポリ塩化ビニル（ＰＶＣ）等からなり、バッグ本体１１を取り囲むようにバッグ本体１１の側面に固定されている。肩パッド２２は、ベルト本体１１に設けられており、ベルト本体１１に沿ってスライド可能となっている。肩パッド２２は、ベルト本体１１よりも幅寸法が大きく設定されており、内部に緩衝部材が配置されている。これにより、釣人が肩パッド２２を肩に掛けたときは、肩パッド２２は釣人の肩に沿って確実に当接するようになっている。
【００３０】
扉１２は、矩形の皿状に形成されており、たとえばポリエチレン（ＰＥ）、エチレン酢酸ビニル共重合体（ＥＶＡ）、ポリプロピレン（ＰＰ）、アクリロニトリルブタジエンスチレン共重合体（ＡＢＳ）等から構成されている。扉１２は、バッグ本体１１に対して回動自在に設けられている。具体的には、図２が示すように、扉１２は、リング２３及び連結ベルト２４を有し、リング２３を介して連結ベルト２４がバッグ本体１１の後面と扉１２の後端面との間に掛け渡されている。したがって、扉１２は、バッグ本体１１に対して開閉自在となっている。なお、図１が示すように、扉１２は、バックル２５を介してバッグ本体１１に連結され得る。
【００３１】
図７は、バック本体１１の後面の拡大斜視図である。
【００３２】
同図及び図２が示すように、バッグ本体１１の後面２６には、ベルト保持部２７が設けられている。このベルト保持部２７は、上記肩掛けベルト２０を保持するものであって、保持ベルト２８を備えている。保持ベルト２８は、例えば、エチレン酢酸ビニル共重合体（ＥＶＡ）、ポリプロピレン（ＰＰ）、ポリ塩化ビニル（ＰＶＣ）等からなり、細長矩形状に形成されている。保持ベルト２８は、２つ折れ状態で配置されている。具体的には、保持ベルト２８の基端部３０がバッグ本体１１に固定され、保持ベルト２８の中央部３２が折り曲げられて、先端部３１が基端部３０に重ね合わされている。
【００３３】
保持ベルト２８の内面に面ファスナー２９が設けられている。これにより、保持ベルト２８は、二つ折れ状態（図２が示す姿勢）と開放状態（図７が示す姿勢）との間で自在に姿勢変化される。上記肩掛けベルト２０は、保持ベルト２８によって挟持される。肩掛けベルト２０が保持ベルト２８によって保持されると、肩掛けベルト２０が当該釣用バッグ１０の載置面に接触することがないので、仮に当該載置面が汚れている場合であっても、肩掛けベルト２０が汚れてしまうことはない。
【００３４】
(2) タックルケースの構成
【００３５】
図８は、タックルケース１３の構造を詳細に示す斜視図である。図９は、タックルケース１３の内部構造を詳細に示す斜視図であり、図１０は、図９における要部拡大斜視図である。
【００３６】
これらの図及び図４が示すように、タックルケース１３は、ケース本体４５と、ケース本体４５に設けられた把手４３とを備えている。ケース本体４５は、後述される材料からなるコア部材３３と、コア部材３３に設けられた蓋３４とを有する。
【００３７】
コア部材３３は、これらの図が示すように矩形のトレイ状に形成されている。コア部材３３を構成する材料は、例えば、アクリロニトリルブタジエンスチレン共重合体（ＡＢＳ）、ポリエチレン（ＰＥ）、エチレン酢酸ビニル共重合体（ＥＶＡ）、ポリプロピレン（ＰＰ）その他熱可塑性樹脂が採用される。かかる材料が採用されることにより、コア部材３３の高い剛性が確保される。このコア部材３３の外形寸法は、縦寸法ａが２６０ｍｍ、横寸法ｂが４４０ｍｍ、高さ寸法ｃが６０ｍｍに設定されている。これら各寸法ａ，ｂ及びｃは、上記寸法に限定されるものではなく、それぞれ１００ｍｍ≦ａ≦５００ｍｍ、１００ｍｍ≦ｂ≦８００ｍｍ、５ｍｍ≦ｃ≦３００ｍｍの範囲で設定され得る。もっとも、タックルケース１３がバッグ本体１１に装着される場合には、各寸法ａ，ｂ，ｃは、バッグ本体１１の開口１４の寸法に対応して決定され、これにより、コア部材３３は、ぴったりとバッグ本体１１の開口１４に嵌め込まれるようになっている。コア部材３３がバッグ本体１１内に挿入されると、コア部材３３の下面が上記座部１９（図５参照）に当接し、タックルケース１３は、この座部１９に支持される（図３参照）。
【００３８】
蓋３４は、コア部材３３の上面を開閉するように取り付けられている。具体的には、蓋３４はコア部材３３の形状に対応して矩形状に形成されている。蓋３４の下辺部４６は、コア部材３３の開口縁部の一辺に対して回動自在に取り付けられている。当該コア部材３３の開口縁部の一辺と蓋３４の下辺部４６とは、例えば布によって連結されていてもよい。蓋３４の他の３つの辺部は、スライドファスナー３５を介してコア部材３３の開口周縁部に連結されている。図３及び図８が示すように、このスライドファスナー３５は、２つの摘み４４を有している。これにより、釣人は、蓋３４の開閉を容易に行うことができるようになっている。
【００３９】
なお、コア部材３３の高さ寸法ｃは、上記段差ｄ（図５参照）に対応して設定されているのが好ましい（図９参照）。上記コア部材３３の高さ寸法ｃが所定寸法に設定されることにより、図４が示すように、タックルケース１３がバッグ本体１１内に収容された状態で、上記蓋３４がバッグ本体１１の開口１４から外部に露出する。具体的には、上記スライドファスナー３５がバッグ本体１１の開口１４よりも上方に位置する。上記高さ寸法ｃは、上記段差ｄよりも大きく、例えば、５ｍｍ〜３００ｍｍの範囲で適宜設定され得る。
【００４０】
図１１は、図１０におけるXI−XI断面図である。
【００４１】
蓋３４は、透明の生地から構成されている。蓋３４を構成する生地は、典型的にはポリ塩化ビニル（ＰＶＣ）、ポリオレフィン等が採用される。図１０及び図１１が示すように、蓋３４は、三枚の生地からなる。すなわち、蓋３４は、上記透明の生地３６と、この生地３６の内側に配置された生地３７と、さらに内側に配置された生地３８とを備えている。生地３７及び生地３８は、メッシュ構造を備えているのが好ましい。本実施形態では、生地３６は例えば、ポリ塩化ビニル（ＰＶＣ）、ポリオレフィンからなり、生地３７は例えば、ポリ塩化ビニル（ＰＶＣ）、ポリエステル（ＰＥ）からなり、生地３８は、例えばポリ塩化ビニル（ＰＶＣ）、ポリエステル（ＰＥ）、ナイロンからなる。ただし、各生地３６〜３８が同一の透明の生地から構成されていてもよい。また、生地３７、３８がメッシュ構造を備える場合には、これらの生地の材料自体が透明である必要はない。生地３６と生地３７とは略同一の形状であり、両者の周縁部同士が固着されている。生地３８は、矩形状を呈し、生地３７の下部に重ね合わせられている。生地３８の上縁部４７を除く他の縁部は、生地３７の周縁部に重ねて固着されている。
【００４２】
生地３６を覆うように生地３７が配置され、しかも生地３７は、スライドファスナー３９を備えている。したがって、蓋３４は、生地３６と生地３７とによって形成されるポケット４１（小物収容ポケット）を備える。このポケット４１は、スライドファスナー３９によって開閉自在である。さらに、生地３７に生地３８が重ね合わされているから、両者によって他のポケット４２（小物収容ポケット）が形成されている。そして、生地３７と生地３８との間に面ファスナー４０が設けられている。したがって、上記他のポケット４２は、面ファスナー４０によって開閉自在となっている。なお、本実施形態では、生地３８の中間部分３８ａ、３８ｂが生地３７に縫いつけられている。これにより、このポケット４２は、３つの部分に区画されている。ただし、上記中間部分３８ａ、３８ｂが生地３７に縫いつけられていなくてもよいことは勿論である。
【００４３】
図８及び図９が示すように、このタックルケース１３は、上記把手４３を備えている。この把手４３は、コア部材３３の対向する側面にそれぞれ取り付けられている。各把手４３は、エチレン酢酸ビニル共重合体（ＥＶＡ）、ポリプロピレン（ＰＰ）、ポリ塩化ビニル（ＰＶＣ）等からなり、細長の紐状に形成されている。この把手４３は、ケース本体３３の中央上方において束ねられ得るようにその長さが決定されている。したがって、釣人は、これら把手４３をコア部材３３の上方で束ねて持つことができ、これにより、タックルケース１３は、釣人によって持ち運ばれる。
【００４４】
図８及び図９が示すように、上記コア部材３３の角部は、滑らかな曲面に形成されている。具体的には、コア部材３３の外周面の４つの角部４８は、湾曲されており、きわめて滑らかに仕上げられている。各角部４８を構成する曲面の曲率半径は、例えば５ｍｍ〜６０ｍｍの範囲で設定され得る。
【００４５】
また、同図では図示されていないが、コア部材３３の底面に滑止部材が設けられていてもよい。滑止部材としては、例えば、ポリ塩化ビニル（ＰＶＣ）、アクリルニトリル−ブタジエンゴム（ＮＢＲ）、天然ゴム、熱可塑性ゴム（ＴＰＲ）が採用される。滑止部材は、コア部材３３の底面全体を覆うように設けられていてもよいし、例えば底面の隅部にのみ設けられていてもよい。
【００４６】
(3) 釣用バッグ及びタックルケースの使用要領
【００４７】
この釣用バッグ１０では、電動リールやロッドキーパ等の大形で重量が大きいタックルはバッグ本体１１に収容され、釣針、釣糸等の小形軽量のタックルはタックルケース１３に収容される。このタックルケース１３は、バッグ本体１１内に収容されるが、当該タックルケース１３がバッグ本体１１に設けられた座部１９に載置され支持される。これにより、図３が示すようにタックルケース１３の蓋３４がバッグ本体１１の開口１４から外部に露出する。したがって、釣人は、実釣中であってもタックルケース１３の蓋３４を自在に開閉することができ、小物類を容易に取り出すことができる。また、大形のタックルはバッグ本体１１に収容され、小形のタックルはタックルケース１３に収容されるので、タックルは、その種類に応じて分類して整理されるという利点がある。
【００４８】
タックルケース１３のケース本体４５がトレイ状に形成されていることから、釣り道具（特に釣針、釣糸、プライヤ等の小物類）がケース本体４５内に整理された状態で収容される。しかも、図８が示すように、把手４３がこのケース本体４５の対向する両側面に設けられているから、釣人がこの把手４３を握って持ち上げると、当該タックルケース１３は、その側面が把手４３によって支持され、水平状態を保ったまま持ち上げられる。このことは、蓋３４が開かれていても閉じられていても同様である。すなわち、仮に把手４３が蓋３４に設けられている場合には、万一、蓋３４が開いている状態で釣人が把手４３を持つと、蓋３４が一気に全開され内部の小物類が外部に飛び出してしまうというおそれがある。しかし、本実施形態では、蓋３４が開いていてもそのような問題は生じない。
【００４９】
また、上記把手４３は、ケース本体４５の中央上方で束ねられ得るように紐状に形成されているから、釣人は、両把手４３を束ねて握るだけで、ケース本体４５を安定的に持つことができる。
【００５０】
さらに、ケース本体４５を構成するコア部材３３が前述の各寸法ａ、ｂ、ｃによって規定されるトレイ状を呈するから（図９参照）、ケース本体４５は、種々の釣用バッグ等に容易に嵌め込まれ得る。しかも、このコア部材３３が熱可塑性樹脂からなるので、釣用バッグ等に一層容易に嵌め込まれ得る。加えて、コア部材３３の角部４８が滑らかな曲面に形成されているので、タックルケース１３が特定の釣用バッグに装着されるものとして構成された場合に、当該釣用バッグ１０への着脱がきわめて滑らかなものとなる。
【００５１】
コア部材３３には蓋３４が設けられているから（図９、図１０参照）、ケース本体４５から不用意に小物類が飛び出してしまうこともないという利点がある。この蓋３４は透明であるから、釣人は、ケース本体４５に収容されている小物類を容易に視認することができる。したがって、釣人は、タックルケース１３を開ける前に取り出そうとするタックルが存在するか否かを確認することができるという利点がある。また、蓋３４は、ポケット４１、４２を備えているから、小物類は、より一層整理された状態で収容される得る。釣人は、複数の小物類をさらに細かく分類して整理収容することができるという利点もある。
【００５２】
前述のように、ケース本体４５の底面に滑止部材が設けられる場合には、例えばこのタックルケース１３が船の甲板上に載置された場合であっても、当該甲板上を容易に滑ることはなく、確実に当該載置状態が維持される。
【００５３】
なお、図５が示すように、上記バッグ本体１１が樹脂製のフレーム１５を備えているから、海水や釣餌等がバッグ本体１１の内壁面に付着したとしても、これらは容易に洗い流される。しかも、タックルケース１３が支持される座部１９がこのフレーム１５と一体的に形成されているから、座部１９が安価に形成され、タックルケース１３の位置決めも容易になされる。したがって、タックルケース１３は、バッグ本体１１の所定位置に正確に位置決めされ、蓋３４がバッグ本体１１の開口１４から確実に露出する。
【００５４】
特に本実施形態では、上記蓋３４は、スライドファスナー３５を介して開閉自在となっており、タックルケース１３は、このスライドファスナー３５が露出するようにバッグ本体１１に支持されている（図４参照）。したがって、釣人は、スライドファスナー３５を簡単に操作することができ、これにより、簡単にタックルケース１３の蓋３４を開閉することができる。その結果、釣人は、実釣中に片手でタックルケース１３の蓋３４を開け、小物類を取り出すことができる。
【産業上の利用可能性】
【００５５】
本発明は、魚釣りに使用されるタックルケース及び当該タックルケースを備えた釣用バッグに適用され得る。
【符号の説明】
【００５６】
１０・・・釣用バッグ
１１・・・バッグ本体
１２・・・扉
１３・・・タックルケース
１４・・・開口
１５・・・フレーム
１６・・・カバー
１８・・・柱部
１９・・・座部
２０・・・肩掛けベルト
２１・・・ベルト本体
２２・・・肩パッド
２３・・・リング
２４・・・連結ベルト
２５・・・バックル
２６・・・後面
２７・・・ベルト保持部
２８・・・保持ベルト
２９・・・面ファスナー
３０・・・基端部
３１・・・先端部
３２・・・中央部
３３・・・コア部材
３４・・・蓋
３５・・・スライドファスナー
３６・・・透明の生地
３７・・・生地
３８・・・生地
３９・・・スライドファスナー
４０・・・面ファスナー
４１・・・ポケット
４２・・・ポケット
４３・・・把手
４４・・・摘み
４５・・・ケース本体
４６・・・下辺部
４７・・・上縁部
４８・・・角部
【図１】
2010075210.tif 000003
【図２】
2010075210.tif 000004
【図３】
2010075210.tif 000005
【図４】
2010075210.tif 000006
【図５】
2010075210.tif 000007
【図６】
2010075210.tif 000008
【図７】
2010075210.tif 000009
【図８】
2010075210.tif 000010
【図９】
2010075210.tif 000011
【図１０】
2010075210.tif 000012
【図１１】
2010075210.tif 000013